(57)【要約】【課題】より安全で確実に混信を回避するリモコン機器を提供する。【解決手段】機器本体１にリモコン収納部１３を備えたリモコン機器であって、電源投入時を含む一定のタイミングでリモコン収納部１３にリモコンが収納されていることを検知した場合、機器本体１とリモコン２との間で双方向通信を行い、それぞれが有するメモリ（不揮発性メモリ１９、２４）に機器本体１が認識可能な特定の情報を書き込む制御部（主制御部１００、２００）、を備える。制御部は、特定の情報として乱数を生成し出力するのが好ましく、また、有線もしくは無線により特定情報の双方向通信を行なう。【選択図】図２
2009194838.tif 000002
【特許請求の範囲】
【請求項１】
機器本体にリモコン収納部を備えたリモコン機器であって、
電源投入時を含む一定のタイミングで前記リモコン収納部にリモコンが収納されていることを検知した場合、前記機器本体と前記リモコンとの間で通信を行い、それぞれが有するメモリに前記機器本体が認識可能な特定の情報を書き込む制御部
を備えたことを特徴とするリモコン機器。
【請求項２】
電源投入時を含む一定のタイミングで前記リモコン収納部に前記リモコンが収納されていることを検知した場合、前記機器本体と前記リモコンとの間で通信を行い、それぞれが有するメモリに前記機器本体が認識可能な特定の情報を書き込む制御部は、
前記機器本体に有することを特徴とする請求項１記載のリモコン機器。
【請求項３】
電源投入時を含む一定のタイミングで前記リモコン収納部に前記リモコンが収納されていることを検知した場合、前記機器本体と前記リモコンとの間で通信を行い、それぞれが有するメモリに前記機器本体が認識可能な特定の情報を書き込む制御部は、
前記リモコンに有することを特徴とする請求項１記載のリモコン機器。
【請求項４】
前記制御部は、
前記特定の情報として乱数を生成し、出力することを特徴とする請求項１から請求項３のうちのいずれか１項記載のリモコン機器。
【請求項５】
前記制御部は、
有線もしくは無線により前記双方向通信を行なうことを特徴とする請求項１から請求項４のうちのいずれか１項記載のリモコン機器。
【請求項６】
前記リモコンは、
前記メモリに書き込まれた特定の情報を送信データに付加して前記機器本体に送信することを特徴とする請求項１から請求項５のうちのいずれか１項記載のリモコン機器。
【請求項７】
前記機器本体は、
前記リモコンから送信される送信データを受信し、前記メモリに書き込まれた特定の情報に基づき自身に対する送信データであるか否かを判定することを特徴とする請求項１から請求項６のうちのいずれか１項記載のリモコン機器。
【発明の詳細な説明】
【技術分野】
【０００１】
この発明は、機器本体にリモコン収納部を備えた、車載情報機器等のリモコン機器に関するものである。
【背景技術】
【０００２】
車載情報機器は、車室内の乗員が快適に過ごせるように、エンターテイメント性が高い各種の映像、音声を扱うことが可能であり、また、その映像、音声を再生するＡＶ（Audio Visual）機器を車内に複数台設置することが一般的になりつつある。
例えば、後席用のＡＶ機器では、右後席用と左後席用に２台の機器が設置され、比較的大型の３列シートを持つ車両では、２列目、３列目に別々のＡＶ機器を設置する場合もある。そして其々のＡＶ機器にはユーザの利便性を向上させるためにリモートコントロール装置（以下、単にリモコンという）が使用可能であることも当然のようになっている。このような場合にはリモコン同士の混信が容易に発生し、このため、非常に使い勝手が悪い。
【０００３】
上記した混信を解決するために、リモコンにより生成されるリモコンデータ（赤外線）に付加する送信コード（特定コード）を個々に異なるようにすれば良いが、そのためには、機器本体とリモコンとをセットで販売することになり、製品管理上、不便である。
また、手動で送信コードを変更する等、混信対策をユーザに実施させる方法も存在するが、この場合、ユーザによる負担が大きい。さらに、ＡＶ機器を使用するために機器本体に着脱自在に取り付けられるリモコンを取り外した場合、車内が荷物等により乱雑になっていた場合、リモコンと機器本体との組み合わせが不明になる恐れもある。
【０００４】
上記した課題を解決するために、例えば、リモコンを機器本体から取り外す瞬間にリモコンから機器本体に対して特定のコードを送信し、双方でその特定コードを記憶し、以後、その特定コードをリモコンデータの先頭に付加することにより混信を防止する仕組みが提案されている（例えば、特許文献１参照）。
【０００５】
【特許文献１】特開平７−２５５０９０号公報
【発明の開示】
【発明が解決しようとする課題】
【０００６】
上記した特許文献１に開示された技術によれば、混信防止のための手段としては有効である。しかしながらこの場合、リモコンと機器本体の双方の電源がＯＮ状態である必要がある。仮に、リモコンのみが電源ＯＮの場合、リモコンが特定コードを送信しても機器本体がその特定コードを受信できないため、双方で保持された特定コードに差異が生じ、リモコンによる送信データが無視されてしまう事態が発生する。
【０００７】
また、リモコンを取り外す瞬間の短時間に特定データの送信、書き込みを行なうため、その伝送が正確に行なえないことも懸念される。また、ワイヤレス通信であるため、車載用にＡＶ機器が複数設置される（例えば後席に２台並べて設置）場合、隣接して設置されるＡＶ機器に特定コードが飛び込む可能性は否定できない。
さらに、ＲＦ（高周波）式のリモコンは赤外線リモコンとは異なり、信号が障害物を避けて回り込むため、混信の可能性が高くなり、特許文献１に開示された技術にしたがう特定コードの書き込み方法では危険である。
【０００８】
この発明は上記した課題を解決するためになされたものであり、より安全で確実に混信を回避することのできるリモコン機器を提供することを目的とする。
【課題を解決するための手段】
【０００９】
上記した課題を解決するためにこの発明のリモコン機器は、電源投入時を含む一定のタイミングで機器本体の有するリモコン収納部に前記リモコンが収納されていることを検知した場合、前記機器本体と前記リモコンとの間で通信を行い、それぞれが有するメモリに前記機器本体が認識可能な特定の情報を書き込む制御部、を備えたものである。
【発明の効果】
【００１０】
この発明のリモコン機器によれば、より安全で確実に混信を回避することができる。
【発明を実施するための最良の形態】
【００１１】
実施の形態１．
図１は、この発明の実施の形態１に係るリモコン機器の外観構成を示す図である。ここでは、リモコン機器として、後席に着座した乗員の視聴用に車内天井に取り付けられた車載用ＡＶ機器が例示されている。
【００１２】
図１に示されるように、車載用ＡＶ機器は、機器本体１と、リモコン２とから構成される。機器本体１は液晶パネル（以下、ＬＣＤパネル１１という）を有し、このＬＣＤパネル１１は、ヒンジ部１４を介して車内天井に固定された本体部１０に対し回動（開閉）自在に取り付けられている。ここでは、コンテンツ視聴のためにＬＣＤパネル１１を見開き状態に設定した例が示されている。なお、不視聴時は、ヒンジ部１４を介してＬＣＤパネル１１を折り畳んで閉じる構造になっている。
本体部１０には、さらにＤＶＤ（Digital Versatile Disc）などの映像ソースを再生可能なＤＶＤドライブ１２が搭載されており、更に、外部からの映像、音声の入力端子も備わっている。さらに、比較的高級な車載用ＡＶ機器では、不図示のメモリカードスロット等も搭載されており、車内のエンターテイメントの向上に寄与することを目的に各種機能が組み込まれた仕様になっている。
【００１３】
なお、機器本体１は、車内天井に設置される他に、前席のシート裏面等に設置されることもあり、また、最近では個々の座席に専用品として設置されている場合も多い。
【００１４】
上記したいずれの設置形態においてもユーザの利便性を確保するために、その操作にはワイヤレス式のリモコン２が採用されている。
リモコン２は、車載用ＡＶ機器を使用しない時に邪魔にならないように、機器本体１に収納することができる。このため、機器本体１にはリモコン収納部１３が設けられており、ここにリモコン２が収納され、ヒンジ部１４を介して閉じたＬＣＤパネル１１で覆うようになっている。なお、このリモコン収納部１３の１つの内壁面には、収納した、リモコン２の電極と接触する電極１３ａ、１３ｂが設けられている。
【００１５】
リモコン２は、通常、手のひらに乗る程度のサイズに構成されており、その表面には各種ボタン２１が配置されている。さらにリモコン２の先頭付近には赤外線を送信するための赤外線送信部２２（ダイオード）が実装されており、この部位から機器本体１を操作するための情報（操作コマンド）が発信される。なお、赤外線送信部２２が実装された部位に対向する端面部には、リモコン収納部１３への収納時に機器本体１と通信を行なう少なくとも２個の電極（ここでは２３ａと２３ｂ）が実装されている。したがって、機器本体１には、リモコン収納部１３にリモコン２が収納された時に、その電極２３ａ、２３ｂと接触する位置に電極１３ａ、１３ｂがそれぞれ接触される。
【００１６】
図２は、この発明の実施の形態１に係るリモコン機器における機器本体１とリモコン２との接続構成を説明するために示した図である。
図２に示されるように、機器本体１とリモコン２とは、それぞれが有する電極１３ａと２３ａ、電極１３ｂと２３ｂとを接触させることにより双方向の通信を行なうものであり、例えば、機器本体１のリモコン収納部１３にリモコン２を収納することにより、機器本体１の電極１３ａとリモコン２の電極２３ａとを接触させることにより送信用の通信路（機器本体１からリモコン２へ）を形成し、機器本体１の電極１３ｂとリモコン２の電極２３ｂとを接触させることにより受信用の通信路（リモコン２から機器本体１へ）を形成するものである。
【００１７】
ここで、双方向の通信路を採用したのは、後述するように、機器本体１、リモコン２のそれぞれが有する不揮発性メモリ（後述する図３、図４で示す１９、２４）に機器本体１が認識可能な特定の情報を書き込む際の応答（確認ステータス）により、書き込みの確実性を考慮したものである。詳細は後述する。
なお、ここでは電極１３ａと２３ａ、電極１３ｂと２３ｂを接触させることにより、２本の通信路を形成するものとして説明するが、２本以上の通信路を形成できればよく、また、有線に限らず、電磁誘導を利用した非接触（無線）でそれぞれの通信路を形成してもよい。 
【００１８】
この発明の実施の形態１で使用される機器本体１の内部回路構成を図３に、リモコン２の内部回路構成を図４にそれぞれ示す。
図３に示されるように、機器本体１は、例えば、マイコンで構成される主制御部１００を制御中枢とし、図１で説明した各種映像情報を表示するＬＣＤパネル１１と、ＤＶＤ等のディスクメディアを読み取るＤＶＤドライブ１２の他に、メモリカード等の情報を読み出すメモリカードコントローラ１５と、圧縮映像をデコードするグラフィックス制御部１６と、リモコン２から発信されるリモコン情報を受信する赤外線受光部１７と、リモコン２との通信用の電極１３ａ、１３ｂとのインタフェースを司る通信用ドライバ１８と、電源遮断時でもデータ保持可能な不揮発性メモリ１９とから構成されている。
【００１９】
主制御部１００は、上記したメモリコントローラ１５、グラフィックス制御部１６、赤外線受光部１７、通信用ドライバ１８、不揮発性メモリ１９を制御する他、電源投入時を含む一定のタイミングでリモコン収納部１３にリモコン２が収納されていることを検知した場合、機器本体１とリモコン２との間で双方向通信を行い、それぞれが有するメモリ（機器本体１の場合は不揮発性メモリ１９）に機器本体１が認識可能な特定の情報（特定コード）を書き込む制御部としての機能を実現する。詳細は後述する。
【００２０】
なお、上記した機器本体１には、他の入力ソースとして、ＴＶチューナ２０やビデオ入力等の外部入力端子３０が接続される他に、主制御部１００には、不図示のＣＡＮ（Control Area Network）バスやＥＣＵ（電子制御ユニット）等の車両インタフェースも接続されている。
【００２１】
一方、図４に示されるように、リモコン２は、例えば、マイコンで構成される主制御部２００を制御中枢とし、図１で説明した各種ボタン２１、赤外線送信部２２の他に、電源ＯＦＦ時でもデータ保持可能な不揮発性メモリ２４と、機器本体１との通信用の電極２３ａ、２３ｂとのインタフェースを司る通信用ドライバ２５と、ＬＣＤ操作画面２６とにより構成されている。
主制御部２００は、上記した各種ボタン２１、赤外線送信部２２、不揮発性メモリ２４、通信用ドライバ２５、ＬＣＤ操作画面２６を制御することにより、例えば、各種ボタン２１によるユーザ操作を読み込んで操作コマンドを生成し、赤外線送信部２２を発光させて機器本体１にデータ（操作コマンド）送信を行なう。
【００２２】
なお、ここでは、機器本体１が有する主制御部１００は、電源投入時を含む一定のタイミングでリモコン収納部１３にリモコン２が収納されていることを検知した場合、機器本体１とリモコン２との間で双方向通信を行い、それぞれが有するメモリ（機器本体１の場合は不揮発性メモリ１９）に機器本体１が認識可能な特定の情報（特定コード）を書き込むもので、特許請求の範囲に記載の制御部としての機能を実現するが、この機能はリモコン２の有する主制御部２００が代替してもよい。
【００２３】
図５は、この発明の実施の形態１に係るリモコン機器の特定コード設定時の動作を示すフローチャートである。
以下、図５に示すフローチャートを参照しながら、図１〜図４に示すこの発明の実施の形態１に係るリモコン機器の特定コード設定時の動作について詳細に説明する。
【００２４】
図５のフローチャートにおいて、まず、機器本体１の主制御部１００は、エンジン始動時（電源投入時）を含む一定タイミングで（ステップＳＴ５０１）、リモコン２が機器本体１のリモコン収納部１３に収納されているか否かを判定する（ステップＳＴ５０２）。ここで、例えば、電極１３ａ、１３ｂ等を介してリモコン２がリモコン収納部１３に収納されていることが検知された場合（ステップＳＴ５０２“ＹＥＳ”）、主制御部１００は、乱数や時計を参照して特定コードを生成し（ステップＳＴ５０３）、ここで生成された特定コードを、リモコン２がリモコン収納部１３に収納されたことにより接触する電極１３ａ、２３ａにより形成された送信用の通信路を介してリモコン２に送信する（ステップＳＴ５０４）。なお、リモコン２が機器本体１のリモコン収納部１３に収納されていない場合は（ステップＳＴ５０２“ＮＯ”）、次のエンジン始動時（電源投入時）を含む一定タイミングの到来を待つ。
【００２５】
一方、上記の特定コードを受信したリモコン２（主制御部２００）は（ステップＳＴ５０５“ＹＥＳ”）、正常受信した場合、その確認ステータスを示すデータを生成し、ここで生成された確認ステータスを、リモコン２がリモコン収納部１３に収納されたことにより接触する電極２３ｂ、１３ｂにより形成される受信用の通信路を介して機器本体１宛に送信する（ステップＳＴ５０６）。
続いて主制御部２００は、内蔵の不揮発性メモリ２４に対し、受信した特定コードを書き込む（ステップＳＴ５０７）。そして、リモコン使用時、ユーザにより手動で、あるいは不図示のボタン操作によりＬＣＤパネル１１が見開き状態に設定され、リモコン２を機器本体１のリモコン収納部１３から取り外してユーザによるボタン操作がなされる。これを受けて主制御部２００は、そのボタンにしたがうリモコンデータ（操作コマンド）を生成し、不揮発性メモリ２４に保持してある特定コードを読み出し、先に生成したリモコンデータの先頭に付加して機器本体１に送信する（ステップＳＴ５０８）。
【００２６】
一方、確認ステータスを受信した機器本体１（主制御部１００）は（ステップＳＴ５０９“ＹＥＳ”）、内蔵の不揮発性メモリ１９に対し、先に生成した特定コードを書き込む（ステップＳＴ５１０）。
続いて、主制御部１００は、リモコン２からリモコンデータを受信し、そのリモコンデータに含まれる特定コードがリモコンデータの先頭に付加されてある場合のみ自身宛の操作コマンドであることを認識し、その操作コマンドにしたがう動作を実行する（ステップＳＴ５１１）。
【００２７】
上記したように、この発明の実施の形態１に係るリモコン機器は、機器本体１とリモコン２の双方に実装された通信のための電極１３ａ、２３ａ（あるいは１３ｂ、２３ｂ）を通じて、機器本体１からリモコン２に特定コードを送信し、この時に受信した特定コードをリモコン２内蔵の不揮発性メモリ２４に保持する。そして、その後、リモコン２が機器本体１から取り外され操作された時には、そのリモコン２から送信されるリモコンデータの先頭に、不揮発性メモリ２４に保持された特定コードを付加する。このことにより、機器本体１は受信したリモコンデータが自身に送信されたものか否かを判定することが可能となる。
なお、機器本体１からリモコン２に送信される特定コードは、乱数生成により送信されることが好ましい。すなわち、乱数によりリモコン２に書き込みされる特定コードは毎回変更され、さらに近傍（例えば隣席）に配置された同一リモコン機器ともリモコンデータを異なるものにすることが可能になる。
【００２８】
ここで、特定コード転送の形態について、図６（ａ）（ｂ）に示すタイミング図を参照してさらに詳しく説明する。
上記したように、通信経路として、送信用（機器本体１からリモコン２へ）と受信用（リモコン２から機器本体１へ）の最低２個の電極１３ａ、１３ｂ（２３ａ、２３ｂ）を用いることは上記した通りである。電極１３ａ、１３ｂ（２３ａ、２３ｂ）は、リモコン２が機器本体１のリモコン収納部１３に収納された状態で接触する仕組みになっている。
【００２９】
図６（ａ）に標準の特定コードの書き込みシーケンスが、図６（ｂ）にリモコンデータ付きの特定データの書き込みシーケンスが示されている。
ここでは、信号線は、８ビットの非同期式シリアル通信を使用しており、電源投入時、機器本体１は、リモコン収納部１３に収納されたリモコン２に対して、開始コマンド、特定コード、終了コマンドのそれぞれをバイト単位で送信する。さらにそれを受信したリモコン２から機器本体１に確認ステータスが返信され、この双方向の通信が成立した時点で、機器本体１とリモコン２の双方の不揮発性メモリ１９、２４のそれぞれに同一の特定コードが保持される。また、その通信が行なわれるタイミングは、電源投入時（エンジン始動時）と、リモコン２が機器本体１に収納された場合に定期的な間隔で行うものとする。
【００３０】
上記の通信に必要とされる時間は、１９２００ｂｐｓの通信速度の場合、数＋ｍｓｅｃ程度であり、ユーザの利便性については全く問題が生じない。特定コードとしては、仮に８ビット×３＝２４ビットを使用することにより、１６７８万通りの組み合わせが実現可能であり、混信の可能性は皆無に近い。
【００３１】
次に、リモコン２から機器本体１へのリモコンデータ送信シーケンスについて図７のタイミング図を参照しながら説明する。
リモコン２（赤外線リモコン）の場合、一般的に、先頭にリーダコード、続いてデータコードが送信される。本来なら、そのデータコードにリモコン２上で押下されたボタン情報が付加され送信されるが、ここでは、そのリーダコードとデータコードの間に特定コードを付加して送信される。例えば、特定コードが２４ビットで“８Ｅ６５Ａ３”の場合のリモコン送信シーケンスは図７に示すような構成になる。この場合、図８に示されるように、特定コード８Ｅ６５Ａ３を保持したリモコン２から発信されるリモコンデータは、特定コード８Ｅ６５Ａ３を保持する機器本体１は反応するが、特定コード５Ａ１２４５を保持する機器本体１は反応しない。
【００３２】
ここで、特定コードの決め方について説明する。特定コードとしては乱数を使用する方法が好ましい。乱数を使用する場合、非常に稀な確率で同一の特定コードを持つ可能性も否定できないが、ここでは、リモコン２への特定コード書き込みを、機器本体１への電源投入毎、および、定期的な間隔で更新するため、大きな問題となることはない。
仮に、混信が発生しても、リモコン２を再度機器本体１のリモコン収納部１３に収納することにより、特定コードの再設定が実施されるためである。なお、乱数は、図６（ａ）（ｂ）のシーケンス図でも説明したが、８×３＝２４ビットにすることにより、１６７８万通りの組み合わせとなり、したがって、乱数が一致しての混信が発生する可能性は皆無に近い。
【００３３】
以上説明のようにこの発明の実施の形態１に係るリモコン機器によれば、より安全で確実に混信を回避することができる。また、この発明の実施の形態１に係るリモコン機器によれば、リモコン２の故障、紛失により、リモコン２を交換してもリモコンパルス等の再設定は不要であり、サービス面でも有益であり、更に、リモコン２が電池切れになっても、隣席用のリモコン２を機器本体１のリモコン収納部１３に収納し、取り外しを行なうことで自席でも使用可能になるため、走行中の車内で電池交換を行なう手間を回避することも可能になる。
【００３４】
また、この発明の実施の形態１に係るリモコン機器によれば、車載情報機器に接続された外部機器の情報をリモコン２に送信することが可能になる。
例えば、外部機器接続用端子（ＡＵＸ入力端子）に実際に外部機器が接続された場合、メモリカードスロットにメモリが装着された場合等に、その情報をリモコン２に送ることにより、使用可能な機能情報をリモコン２でも把握することが可能になる。特に、リモコン２にＬＣＤ画面を装備するような高度な装置の場合、その画面に表示するメニューの内容を機器本体１の状況に応じて変更することが可能になり、操作性の向上が期待出来る。
【００３５】
さらに、この発明の実施の形態１に係るリモコン機器によれば、シートに着座するユーザの嗜好にあわせたリモコン設定にすることも可能である。
例えば、頻繁に搭乗する家族の場合、ＬＣＤタッチパネル等によりユーザ名を選択可能とし、その後、リモコン２が機器本体１のリモコン収納部１３から取り外された場合にそのユーザ情報をリモコン２に送信できる。このことにより、ボタン設定等をユーザの嗜好に合わせて替えることが可能である。
【００３６】
なお、この発明の実施の形態１に係るリモコン機器によれば、図５のフローチャートに示されるように、機器本体１（主制御部１００）が、電源投入時を含む一定のタイミングでリモコン収納部１３にリモコン２が収納されていることを検知し、機器本体１とリモコン２との間で双方向通信を行い、それぞれが有するメモリ（不揮発性メモリ１９、２４）に機器本体１が認識可能な特定の情報を書き込むものとして説明したが、この機能を機器本体１に代わってリモコン２（主制御部２００）に負荷分散させて実行することも可能である。このことにより、機器本体１の負荷が軽減される。
また、この発明の実施の形態１に係るリモコン機器によれば、赤外線を使用したリモコン２のみ例示したが、ＲＦによるリモコン２でも同じ効果が得られる。また、この発明の実施の形態１に係るリモコン機器によれば、リモコン機器として車載情報機器のみ例示したが、車載用情報機器に限らず、狭領域で複数の同一機器を使用するような場合において汎用的に応用が可能である。
【００３７】
また、図３、図４にそれぞれ示す、機器本体１（主制御部１００）、リモコン２（主制御部２００）が有する機能は、全てをソフトウェアによって実現しても、あるいはその少なくとも一部をハードウェアで実現してもよい。
例えば、主制御部１００（２００）が、電源投入時を含む一定のタイミングでリモコン収納部１３にリモコン２が収納されていることを検知し、機器本体１とリモコン２との間で双方向通信を行い不揮発性メモリ１９（２４）に機器本体１が認識可能な特定の情報を書き込むデータ処理は、１または複数のプログラムによりコンピュータ上で実現してもよく、また、その少なくとも一部をハードウェアで実現してもよい。
【図面の簡単な説明】
【００３８】
【図１】この発明の実施の形態１に係るリモコン機器の外観構成を示す図である。
【図２】この発明の実施の形態１に係るリモコン機器における機器本体とリモコンとの接続構成を説明するために示した図である。
【図３】この発明の実施の形態１に係るリモコン機器における機器本体の内部構成を示すブロック図である。
【図４】この発明の実施の形態１に係るリモコン機器におけるリモコンの内部構成を示すブロック図である。
【図５】この発明の実施の形態１に係るリモコン機器の特定コード設定時の動作の流れを示すフローチャートである。
【図６】この発明の実施の形態１に係るリモコン機器の特定コード書き込みシーケンスを説明するために示したタイミング図である。
【図７】この発明の実施の形態１に係るリモコン機器のリモコン通信波形を示す図である。
【図８】この発明の実施の形態１に係るリモコン機器の機器本体とリモコン間の通信形態の一例を示す図である。
【符号の説明】
【００３９】
１  機器本体、２  リモコン、１０  本体部、１１  ＬＣＤパネル、１２  ＤＶＤドライブ、１３  リモコン収納部、１３ａ，１３ｂ，２３ａ，２３ｂ  電極、１４  ヒンジ部、１５  メモリカードコントローラ、１６  グラフィックス制御部、１７  赤外線受光部、１８，２５  通信用ドライバ、１９，２４  不揮発性メモリ、２１  各種ボタン、２２  赤外線送信部、２６  ＬＣＤ操作画面。
【図１】
2009194838.tif 000003
【図２】
2009194838.tif 000004
【図３】
2009194838.tif 000005
【図４】
2009194838.tif 000006
【図５】
2009194838.tif 000007
【図６】
2009194838.tif 000008
【図７】
2009194838.tif 000009
【図８】
2009194838.tif 000010